(57)【特許請求の範囲】
【請求項１】
複数枚堆積した紙葉類の下面に設けられ、外周の少なくとも一部が高摩擦係数部材からなる複数の繰り出しローラと、この繰り出しローラの下流側に設けられ、繰り出されて来る紙葉類を一枚ずつに分離する分離ローラと、分離された紙葉類を搬送する搬送ローラと、前記繰り出しローラの紙葉類を挟んで対向する位置に設けられ繰り出しローラの回転中心軸と直交する方向に移動可能な荷重部材とを備えた紙葉類繰り出し装置において、
前記荷重部材は、前記複数の繰り出しローラと対向する各位置がそれぞれ剛体部からなり、各剛体部が柔軟部により互いに連結されてなることを特徴とする紙葉類繰り出し装置。
【請求項２】
前記荷重部材を合成樹脂の一体構造とし、その肉厚部を前記剛体部、その薄肉部を前記柔軟部とすることを特徴とする請求項１に記載の紙葉類繰り出し装置。
【請求項３】
前記荷重部材を板金と薄板バネ部材の接合構造とし、その板金部を前記剛体部、その薄板バネ部材を前記柔軟部とすることを特徴とする請求項１に記載の紙葉類繰り出し装置。
【発明の詳細な説明】
【０００１】
【発明の属する技術分野】
この発明は、スーバーマーケット，コンビニエンス・ストア等の店舗会計場やガソリン・スタンドにおける電子式金銭登録機，ＰＯＳ（Ｐｏｉｎｔ  Ｏｆ  Ｓａｌｅｓ）用レジスタ等に接続して使用可能な貨幣入出金機、特に入金した紙幣を釣紙幣等の支払いに再使用する循環式紙幣入出金処理部と、入金した硬貨を硬貨等の支払いに再使用する循環式硬貨入出金処理部とを一体構造としたコンパクトサイズの貨幣入出金機に使用して好適な紙葉類繰り出し装置に関する。
【０００２】
【従来の技術】
図３は出願人が先に出願した貨幣入出金機の全体構成を示す斜視図である。
すなわち、貨幣入出金機１はここでは、紙幣処理部２と硬貨処理部３とが横並びで一体に構成されている。紙幣処理部２には入金紙幣を挿入する投入口（入金口）４と、繰り出し紙幣を放出する出金口５と、投入紙幣で金種判別不可の紙幣を返却するリジェクト口６と、収納紙幣を回収する回収庫７とが設けられる。また、硬貨部３には入金硬貨を挿入する投入口８と、繰り出し硬貨を放出する出金口９とが設けられている。なお、装置内部の詳細説明は、ここでは特に必要がないと思われるので省略する（特開平１０−０４０４３７号公報参照）。
【０００３】
このような貨幣入出金機１の紙幣処理部２では、投入口４や収納庫（図示せず）には複数の紙幣が存在し、一枚ずつに分離して繰り出しを行ない、入出金時の金種判別を行なっている。
その繰り出し部は、例えば図４のように構成される。
１１は入金口または収納庫に集積（堆積）した複数枚の紙幣で、この紙幣の下面には外周の一部が高摩擦係数部材で構成される繰り出しローラ１２が設けられており、この繰り出しローラ１２の紙幣１１を挟んで対向する位置には、荷重部材１７が図の略上下方向（繰り出しローラ１２の回転中心軸と直交する方向）に移動可能に支持されており、バネ１８等により紙幣１１をローラ１２の方向に押し付けている。
【０００４】
フィードローラ１３は、繰り出しローラ１２と同様に外周の一部が高摩擦係数部材で構成され、ローラ１２の下流側に設けられる。このとき、外周すべてが高摩擦係数部材で構成される阻止ローラ１４が、搬送路１９を挟むようにフィードローラ１３の外周に一定の圧力で接している。搬送ローラ１５，１６も搬送路１９を挟むように一定の圧力で外周が接している。その動作を図５，図６により以下に説明する。なお、図５は紙幣繰り出し部における紙幣の分離動作説明図、図６は分離された紙幣の繰り出し動作説明図である。
【０００５】
いま、図４において繰り出し開始の指令が与えられると繰り出しローラ１２，フィードローラ１３および搬送ローラ１５が図５の矢印のように駆動される。このとき、阻止ローラ１４はワンウエイクラッチ等により、フィードローラ１３と連れまわる方向（反時計回り方向）の回転は停止され、逆方向（時計回り方向）のみ回転可能である。そして、繰り出しローラ１２の高摩擦係数部が紙幣１１に接すると、下部の紙幣は図の右方向に搬送される。このとき、搬送される紙幣は１枚とは限らないため、フィードローラ１３と阻止ローラ１４の接触部で分離させる。これは、フィードローラ１３の高摩擦係数部材に接する紙幣は搬送し、阻止ローラ１４に接する紙幣の搬送が停止されるためである。分離された紙幣は搬送ローラ１５，１６により、図６に示すように１枚ずつ搬送される。
【０００６】
【発明が解決しようとする課題】
ところで、上記繰り出しローラ１２は、例えば図７に示すように複数（ここでは１対）で構成される。なお、図７は繰り出しローラ１２を説明するための正面図で、同（ａ）は集積（堆積）した紙幣１１が繰り出しローラ１２に接していない状態、同（ｂ）は紙幣１１が繰り出しローラ１２に接した状態をそれぞれ示している。
このような構成で、複数の繰り出しローラ１２ａ，１２ｂに対し、荷重部材１７の力が少数枚の紙幣に均等に掛かる図８（ａ）のような場合は、問題は何ら発生しない。
【０００７】
しかし、図８（ｂ）の如く左右の繰り出しローラ１２ａ，１２ｂの外周にずれ（差）が生じ、繰り出しローラ１２ａと荷重部材１７との間に例えば隙間２０が生じると、図９に示すように、荷重部材１７により力が掛かっている繰り出しローラ１２ｂ側が先行して、紙幣１１に対しスキューが発生する。そして、このスキューにより、下流の金種判別部による正確な判定が不可となったり、搬送路でのジャミングの原因となる。このような不都合は、特に紙幣が少数枚になったときに生じ易い。
【０００８】
そこで、図１０のように、例えば荷重部材１７を揺動可能に支持することが考えられ、この場合は左右の繰り出しローラ１２ａ，１２ｂに力が掛かることにはなるが、特に右側の繰り出しローラのコーナに力が掛かるため摩擦等による変動が大きくなり、上記と同様にスキューが発生することになる。
したがって、この発明の課題は、紙葉等にスキューが発生しないようにすることにある。
【０００９】
【課題を解決するための手段】
このような課題を解決するため、請求項１の発明では、複数枚堆積した紙葉類の下面に設けられ、外周の少なくとも一部が高摩擦係数部材からなる複数の繰り出しローラと、この繰り出しローラの下流側に設けられ、繰り出されて来る紙葉類を一枚ずつに分離する分離ローラと、分離された紙葉類を搬送する搬送ローラと、前記繰り出しローラの紙葉類を挟んで対向する位置に設けられ繰り出しローラの回転中心軸と直交する方向に移動可能な荷重部材とを備えた紙葉類繰り出し装置において、
前記荷重部材は、前記複数の繰り出しローラと対向する各位置がそれぞれ剛体部からなり、各剛体部が柔軟部により互いに連結されてなることを特徴とする。この請求項１の発明においては、前記荷重部材を合成樹脂の一体構造とし、その肉厚部を前記剛体部、その薄肉部を前記柔軟部とすることができ（請求項２の発明）、または、前記荷重部材を板金と薄板バネ部材の接合構造とし、その板金部を前記剛体部、その薄板バネ部材を前記柔軟部とすることができる（請求項３の発明）
【００１０】
【発明の実施の形態】
図１はこの発明の実施の形態を示す構成図である。
同図からも明らかなように、荷重部材１７を剛体部１７ａと柔軟部１７ｂとから構成した点が特徴である。すなわち、荷重部材１７の、繰り出しローラ１２ａ，１２ｂと対向する部分を剛体部１７ａとし、これらの間を柔軟な部材からなる柔軟部１７ｂにより一体化して構成する。このような荷重部材１７は、例えば樹脂の一体整形で肉厚部（１７ａ）と薄肉部（１７ｂ）として形成したり、１ｍｍ程度の板金と薄板バネ部材とを接合して形成することができる。
【００１１】
上記のように構成することにより、繰り出しローラ１２ａ，１２ｂの外周が例えば図２のようにずれたとしても、紙幣１１には均等な力が掛かることになり、従来のような不都合を回避することが可能となる。
また、この発明は図３に示すような金銭処理装置の入金部と収納部の各部で使用可能であるが、その場合の基本構成は入金部と収納部で特に変わらないので、説明は省略する。
なお、以上では、主として金銭処理装置について説明したが、この発明は繰り出しローラ，分離ローラおよび搬送ローラを有し、紙幣を含む紙葉類の繰り出し装置一般に適用することが可能である。
【００１２】
【発明の効果】
この発明によれば、紙葉類のスキューを防止できるのでジャミング防止が可能になるとともに、安定した金種判別が可能となり信頼性が向上するという利点が得られる。
【図面の簡単な説明】
【図１】この発明の実施の形態を示す構成図である。
【図２】図１の動作説明図である。
【図３】従来例としての貨幣入出金機の全体構成を示す斜視図である。
【図４】図３の紙幣繰り出し部を示す側面図である。
【図５】図４における紙幣の分離動作説明図である。
【図６】図４における分離された紙幣の繰り出し動作説明図である。
【図７】図３における繰り出しローラと集積（堆積）した紙幣との関係説明図である。
【図８】図３において紙幣が少数枚の場合の繰り出しローラと荷重部材との関係説明図である。
【図９】紙幣のスキュー説明図である。
【図１０】図８で荷重部材が揺動可能な場合の説明図である。
【符号の説明】
１…貨幣入出金機、２…紙幣処理部、３…硬貨処理部、４，８…投入口、５，９…出金口、６…リジェクト口、７…回収庫、８…直送スイッチ、１１…紙幣、１２，１２ａ，１２ｂ…繰り出しローラ、１３…フィードローラ、１４…阻止ローラ、１５，１６…搬送ローラ、１７…荷重部材、１７ａ…剛体部、１７ｂ…柔軟部、１８…バネ、１９…搬送路、２０…隙間。
【図１】
0004154640.tif 000002
【図２】
0004154640.tif 000003
【図３】
0004154640.tif 000004
【図４】
0004154640.tif 000005
【図５】
0004154640.tif 000006
【図６】
0004154640.tif 000007
【図７】
0004154640.tif 000008
【図８】
0004154640.tif 000009
【図９】
0004154640.tif 000010
【図１０】
0004154640.tif 000011